(57)【要約】【課題】商品載置棚に載置した商品を所望の温度状態に良好に保持することができる冷凍冷蔵装置を提供すること。【解決手段】前面に開口が形成されたプレハブ倉庫の収納陳列域４に上下方向に沿って複数段設けられ、それぞれ前端部が商品搬出口４２ａを形成し、かつそれぞれ後端部が収納陳列域４の後方域の収容搬送域６に連通する商品搬入口４２ｂを形成する態様で収納対象となる商品を載置する複数の商品載置棚４２を備え、商品載置棚４２に載置された商品を冷凍若しくは冷蔵状態で保持するようにした冷凍冷蔵倉庫２において、常態においては商品搬入口４２ｂを閉塞して商品搬出口４２ａ側から流入する空気が商品搬入口４２ｂを通過することを規制する一方、収容搬送域６から商品搬入口４２ｂに商品が搬入される場合には、商品に押圧されて自身が変形し、商品の通過を許容する規制手段を備えたものである。【選択図】図２
2010210110.tif 000002
【特許請求の範囲】
【請求項１】
前面に開口が形成された筐体である装置本体と、
前記装置本体の内部において前記開口を臨む収納陳列域に上下方向に沿って複数段設けられ、それぞれ前端部が前記開口に連通する商品搬出口を形成し、かつそれぞれ後端部が前記収納陳列域の後方域の収容搬送域に連通する商品搬入口を形成する態様で収納対象となる商品を載置する複数の商品載置棚と、
前記装置本体の前記収納陳列域の前方域における前記開口近傍の上部に配設された吹出口から下方に向けて空気を吹き出し、前記開口近傍の下部に配設された吸込口を通じて前記吹出口から吹き出された空気を吸い込み、かつ該吸込口から吸い込んだ空気を前記収納陳列域の下方域、前記収容搬送域及び前記収納陳列域の上方域を順次通過させて前記吹出口に送出することによって空気を循環させる空気循環手段と、
前記空気循環手段により循環させる空気を所望の温度に調整する温度調整手段と
を備え、前記商品載置棚に載置された商品、並びに前記収容搬送域に収容された商品を冷凍若しくは冷蔵状態で保持するようにした冷凍冷蔵装置において、
常態においては前記商品搬入口を閉塞して前記商品搬出口側から流入する空気が前記商品搬入口を通過することを規制する一方、前記収容搬送域から前記商品搬入口に商品が搬入される場合には、該商品に押圧されて自身が変形し、該商品の通過を許容する規制手段を備えたことを特徴とする冷凍冷蔵装置。
【請求項２】
前記規制手段は、
前記商品搬入口に進退移動可能となる態様で前記商品載置棚を支持する一対の側板間に揺動可能に配設され、常態においては付勢手段に付勢されて前記商品搬入口に進出移動して起立姿勢となる一方、前記商品搬入口に搬入された商品に押圧された場合には前記付勢手段による付勢力に抗して商品搬入口から退避移動して倒置姿勢となり該商品の通過を許容する風防部材と、
前記商品搬入口の上部を構成する部材に基端部が取り付けられ、先端部が起立姿勢にある前記風防部材に当接可能なカーテン部材と
を備えたことを特徴とする請求項１に記載の冷凍冷蔵装置。
【請求項３】
前記カーテン部材は、上下方向に沿って延在するスリットが形成されてすだれ状をなすことを特徴とする請求項２に記載の冷凍冷蔵装置。
【請求項４】
常態においては、前記商品載置棚の上方域を前後に区画して前記商品搬出口側から流入する空気が通過することを規制する一方、前記収容搬送域から前記商品搬入口に商品が搬入される場合には、該商品に押圧されて自身が変形し、該商品の通過を許容する他のカーテン部材を備えたことを特徴とする請求項１〜３のいずれか一つに記載の冷凍冷蔵装置。
【請求項５】
常態においては、前記装置本体の前面開口を閉塞して外気が該前面開口を通過することを規制する一方、前記商品搬出口から商品が搬出される場合には、該商品に押圧されて自身が変形し、該商品の通過を許容する他のカーテン部材を備えたことを特徴とする請求項１〜３のいずれか一つに記載の冷凍冷蔵装置。
【発明の詳細な説明】
【技術分野】
【０００１】
本発明は、冷凍冷蔵装置に関し、より詳細には、例えば物流センターや配送センター等に構築される冷凍冷蔵ピッキングシステムに適用される冷凍冷蔵倉庫に関するものである。
【背景技術】
【０００２】
例えば物流センターや配送センター等に構築されるピッキングシステムは、冷凍冷蔵倉庫と、冷凍冷蔵倉庫から取り出された商品を搬送する搬送装置とを備えている。冷凍冷蔵倉庫の庫内には、冷凍冷蔵倉庫の前面開口を臨むように複数の棚装置が配置されるとともに、庫内を保冷するための冷却装置が備えてある。
【０００３】
棚装置は、複数段の傾斜棚で構成されている。傾斜棚は、それぞれ前端部が前面開口に連通する商品搬出口を形成し、かつそれぞれ後端部が商品を搬入するための商品搬入口を形成している。また、棚装置の作業スペース側先端部には、配送対象となる商品の保管位置ランプ等により示すとともにピッキング数を示す表示器が配設してある。
【０００４】
そして、冷凍冷蔵倉庫の前面開口を構成する壁の内側に冷気エアカーテンを生成する第１送風装置を備えるとともに、該壁の外側に外気エアカーテンを生成する第２送風装置を備えている。第１送風装置及び第２送風装置は、床面に向けて略垂直方向に沿って冷気又は外気を吹き出すものであり、冷凍冷蔵倉庫の床面には、第１送風装置に対応する吸気装置が設置されている。また、前面下側開口には、吸気装置の高さよりも高い位置まで下部断熱壁が立設してある。
【０００５】
第１送風装置及び第２送風装置の吹出口近傍には、整流部材として断熱パネルが設けられている。断熱パネルは、側断面視略台形状で、下側に向かって漸次細くなるように庫内側が傾斜面となっている。また、棚装置の作業スペース側上部先端から第１送風装置までの間の隙間には区画板が設けられている。
【０００６】
このように構成された冷凍冷蔵倉庫の内部においては、複数の冷却装置により吹き出された冷気が冷凍冷蔵倉庫内を冷却するとともに、区画板により規制されて第１送風装置に送出される。第１送風装置は、庫内の冷気を下方に向けて吹き出し、冷凍冷蔵倉庫内の床に設置された吸気装置で吸い込むことにより、冷凍冷蔵倉庫の前面開口に冷気エアカーテンが形成され、吸気装置を経て庫内に吹き出されることにより、冷凍冷蔵倉庫内が摂氏−１０℃等の所定温度に保冷される（例えば、特許文献１参照）。
【先行技術文献】
【特許文献】
【０００７】
【特許文献１】特開２００６−９０６１９号公報
【発明の概要】
【発明が解決しようとする課題】
【０００８】
ところが、上述したような特許文献１に提案されている冷凍冷蔵倉庫（冷凍冷蔵装置）においては、棚装置のそれぞれの傾斜棚により形成される商品搬入口及び商品搬出口が開放された状態であるために、吹出口より下方に向けて吹き出された冷気等が商品搬出口から進入し、商品搬入口を通じて棚装置の後方域に送出してしまういわゆるショートサーキットと称される現象が生じてしまうことがあった。このようなショートサーキットが生じてしまうと、棚装置を構成する上段側の傾斜棚への冷気の流量が増加して下段側の傾斜棚への冷気の流量が減少してしまうために商品の冷却ムラが生ずる虞れがある。また、冷凍冷蔵倉庫の前面開口に所望の冷気エアカーテンを形成することができず、外気遮断性能が著しく損なわれる結果、棚装置への外気の進入を許容し、商品の冷却不良を生ずる虞れがあった。
【０００９】
本発明は、上記実情に鑑みて、商品載置棚に載置した商品を所望の温度状態に良好に保持することができる冷凍冷蔵装置を提供することを目的とする。
【課題を解決するための手段】
【００１０】
上記目的を達成するために、本発明の請求項１に係る冷凍冷蔵装置は、前面に開口が形成された筐体である装置本体と、前記装置本体の内部において前記開口を臨む収納陳列域に上下方向に沿って複数段設けられ、それぞれ前端部が前記開口に連通する商品搬出口を形成し、かつそれぞれ後端部が前記収納陳列域の後方域の収容搬送域に連通する商品搬入口を形成する態様で収納対象となる商品を載置する複数の商品載置棚と、前記装置本体の前記収納陳列域の前方域における前記開口近傍の上部に配設された吹出口から下方に向けて空気を吹き出し、前記開口近傍の下部に配設された吸込口を通じて前記吹出口から吹き出された空気を吸い込み、かつ該吸込口から吸い込んだ空気を前記収納陳列域の下方域、前記収容搬送域及び前記収納陳列域の上方域を順次通過させて前記吹出口に送出することによって空気を循環させる空気循環手段と、前記空気循環手段により循環させる空気を所望の温度に調整する温度調整手段とを備え、前記商品載置棚に載置された商品、並びに前記収容搬送域に収容された商品を冷凍若しくは冷蔵状態で保持するようにした冷凍冷蔵装置において、常態においては前記商品搬入口を閉塞して前記商品搬出口側から流入する空気が前記商品搬入口を通過することを規制する一方、前記収容搬送域から前記商品搬入口に商品が搬入される場合には、該商品に押圧されて自身が変形し、該商品の通過を許容する規制手段を備えたことを特徴とする。
【００１１】
また、本発明の請求項２に係る冷凍冷蔵装置は、上述した請求項１において、前記規制手段は、前記商品搬入口に進退移動可能となる態様で前記商品載置棚を支持する一対の側板間に揺動可能に配設され、常態においては付勢手段に付勢されて前記商品搬入口に進出移動して起立姿勢となる一方、前記商品搬入口に搬入された商品に押圧された場合には前記付勢手段による付勢力に抗して商品搬入口から退避移動して倒置姿勢となり該商品の通過を許容する風防部材と、前記商品搬入口の上部を構成する部材に基端部が取り付けられ、先端部が起立姿勢にある前記風防部材に当接可能なカーテン部材とを備えたことを特徴とする。
【００１２】
また、本発明の請求項３に係る冷凍冷蔵装置は、上述した請求項２において、前記カーテン部材は、上下方向に沿って延在するスリットが形成されてすだれ状をなすことを特徴とする。また、前記カーテン部材は、フレキシブルな材質で構成されていることが好ましい。これにより、商品の有無や大きさに応じて形状を可変することができ、商品搬入口、あるいは商品搬出口から冷気がショートサーキットしてしまうことを防止することができる。
【００１３】
また、本発明の請求項４に係る冷凍冷蔵装置は、上述した請求項１〜３のいずれか一つにおいて、常態においては、前記商品載置棚の上方域を前後に区画して前記商品搬出口側から流入する空気が通過することを規制する一方、前記収容搬送域から前記商品搬入口に商品が搬入される場合には、該商品に押圧されて自身が変形し、該商品の通過を許容する他のカーテン部材を備えたことを特徴とする。また、前記他のカーテン部材は、透明な材質で構成されていることが好ましい。これにより、商品載置棚の上方域を前後に区画した場合でも、他のカーテン部材よりも奥側に位置する商品を目視で確認することができる。
【００１４】
また、本発明の請求項５に係る冷凍冷蔵装置は、上述した請求項１〜３のいずれか一つにおいて、常態においては、前記装置本体の前面開口を閉塞して外気が該前面開口を通過することを規制する一方、前記商品搬出口から商品が搬出される場合には、該商品に押圧されて自身が変形し、該商品の通過を許容する他のカーテン部材を備えたことを特徴とする。このように他のカーテン部材で装置本体の前面開口を閉塞することにより、空気循環手段がなくても、冷凍冷蔵装置の冷却が可能になる。
【発明の効果】
【００１５】
本発明によれば、規制手段が、常態においては商品搬入口を閉塞して商品搬出口側から流入する空気が商品搬入口を通過することを規制する一方、収容搬送域から商品搬入口に商品が搬入される場合には、該商品に押圧されて自身が変形し、該商品の通過を許容するので、吹出口から吹き出された空気（冷気）が商品搬出口から進入して商品搬入口を通過するいわゆるショートサーキットという現象が生ずる虞れがなく、これにより上段側の商品載置棚への冷気の流量が増加して下段側の商品載置棚への冷気の流量が減少してしまうことによる商品の冷却ムラが生ずることを抑制することができ、また冷凍冷蔵装置の前面開口に所望の冷気エアカーテンを形成することができ、外気の進入を規制して商品の冷却不良が生ずることを抑制することができる。従って、商品載置棚に載置した商品を所望の温度状態に良好に保持することができるという効果を奏する。
【００１６】
また、他のカーテン部材で装置本体の前面開口を閉塞することにより、冷気エアカーテンがなくても商品を冷却することが可能になり、外気の進入を規制して商品の冷却不良が生ずることを抑制することができる。従って、商品載置棚に載置した商品を所望の温度状態に良好に保持することができるという効果を奏する。
【図面の簡単な説明】
【００１７】
【図１】図１は、本発明の実施の形態である冷凍冷蔵装置が冷凍冷蔵倉庫として適用された冷凍冷蔵ピッキングシステムを模式的に示すものであり、一部を断面で示した模式図である。
【図２】図２は、図１に示した冷凍冷蔵倉庫を示す断面側面図である。
【図３】図３は、図２に示した冷凍冷蔵倉庫の内部構造の要部を示す断面側面図である。
【図４】図４は、図２及び図３に示した陳列・ピッキング部における商品搬入口近傍の構成を拡大して示す拡大断面側面図である。
【図５】図５は、図２及び図３に示した陳列・ピッキング部における商品搬入口近傍の構成を拡大して示す拡大断面側面図である。
【図６】図６は、本発明の実施の形態である冷凍冷蔵倉庫の変形例における陳列・ピッキング部の構成を示す断面側面図である。
【図７】図７は、図６に示した陳列・ピッキング部の要部を示す断面側面図である。
【図８】図８は、図４及び図６に示した風防部材の変形例を示すものであり、陳列・ピッキング部における商品搬入口近傍の構成を拡大して示す拡大断面側面図である。
【図９】図９は、図４及び図６に示した風防部材の変形例を示すものであり、陳列・ピッキング部における商品搬入口近傍の構成を拡大して示す拡大断面側面図である。
【図１０】図１０は、図４及び図６に示した風防部材の他の変形例を示すものであり、陳列・ピッキング部における商品搬入口近傍の構成を拡大して示す拡大断面側面図である。
【図１１】図１１は、図４及び図６に示した風防部材の他の変形例を示すものであり、陳列・ピッキング部における商品搬入口近傍の構成を拡大して示す拡大断面側面図である。
【発明を実施するための形態】
【００１８】
以下に添付図面を参照して、本発明に係る冷凍冷蔵装置の好適な実施の形態について詳細に説明する。
【００１９】
図１は、本発明の実施の形態である冷凍冷蔵装置が冷凍冷蔵倉庫として適用された冷凍冷蔵ピッキングシステムを模式的に示すものであり、一部を断面で示した模式図である。ここで例示する冷凍冷蔵ピッキングシステムは、配送センターの建屋１の内部に構築されており、商品が陳列された冷凍冷蔵倉庫（冷凍冷蔵装置）２と、積載された商品を搬送するセンターコンベア３とにより構成してあり、冷凍冷蔵倉庫２に陳列された商品は、オペレータによって取り出され、センターコンベア３に積載される。
【００２０】
図１中の冷凍冷蔵ピッキングシステムは、センターコンベア３を中央に配置し、その両側に冷凍冷蔵倉庫２を配置することにより、一のセンターコンベア３を効率的に運用できるようになっている。
【００２１】
図２は、図１に示した冷凍冷蔵倉庫を示す断面側面図であり、図３は、図２に示した冷凍冷蔵倉庫の内部構造の要部を示す断面側面図である。
【００２２】
冷凍冷蔵倉庫２は、配送センターの建屋１の内部に構築されたプレハブ倉庫（装置本体）であって、プレハブ断熱材で構成してある。この冷凍冷蔵倉庫２は、前方領域を収納陳列域４とし、後方領域を収容搬送域６としている。収納陳列域４は、床から天井までの高さが例えば２メートル５０センチメートル程度であり、前面が開口し、商品を陳列する陳列・ピッキング部４１の設置を可能にしている。
【００２３】
収容搬送域６は、床から天井までの高さが例えば３メートル５０センチメートル程度であり、大型の設備機械（例えば、後述する商品投入搬送装置）の設置を可能にしている。
【００２４】
そして、収納陳列域４の天井と収容搬送域６の天井との間に生じる隙間は、垂直な壁体２１で塞がれ、該壁体２１は、収納陳列域４と収容搬送域６との間の段差を形成している。
【００２５】
図２に示すように、収納陳列域４には、複数台（本実施の形態においては８台）の陳列・ピッキング部４１が横並びとなる態様で設置してある。陳列・ピッキング部４１は、商品を保管するピッキング用棚装置であって、前面及び後面が開口している。
【００２６】
図３に示すように、陳列・ピッキング部４１には、上下方向に沿って複数段（本実施の形態においては４段）の商品載置棚４２が架設してある。商品載置棚４２は、後方から前方に向けて漸次低くなる態様で傾斜して架設してあり、それぞれ前端部が冷凍冷蔵倉庫２の前面開口に連通する商品搬出口４２ａを形成し、かつそれぞれ後端部が収容搬送域６に連通する商品搬入口４２ｂを形成している。このような商品載置棚４２には、ローラ部材４２１（図４参照）が回転可能に設けられており、商品搬入口４２ｂを通じて投入された商品を転動又は滑走させて前方に搬送させ、前方から後方に向けて投入された商品を順次収納するものである。また、商品載置棚４２は、複数種類の商品の収納が可能であって、その前端部には、商品種類に対応してＬＥＤ表示パネル４３が立設してある。
【００２７】
また、図３に示すように、最上段となる商品載置棚４２の上方となる収納陳列域４の天井には、後方から前方に延在するダクト４５が配設してある。ダクト４５は、冷凍冷蔵倉庫２の前面開口に低温のエアカーテンを生成するためのものであり、後端が開口している。この後端開口の近傍には送風ファン４６が配設してある。送風ファン４６は、陳列・ピッキング部４１の奥方、すなわち冷凍冷蔵倉庫２の収容搬送域６から空気を導入するものである。
【００２８】
ダクト４５の内部は、上下に仕切られ、下側がインナーダクト４７を構成し、上側がミドルダクト４８を構成するようになっている。そして、ダクト４５に導入された空気は、インナーダクト４７とミドルダクト４８に分配される。
【００２９】
インナーダクト４７は、分配された空気を冷却し、冷凍冷蔵倉庫２の前面開口内側に低温（例えば摂氏−３０℃）のエアカーテンを生成するためのもので、インナーダクト４７の内部には、蒸発器４７１が設置してあり、ダクト４５の後端開口から導入され、分配された空気は、蒸発器４７１の周囲を通過する際に摂氏−３０℃程度まで冷却されることになる。
【００３０】
インナーダクト４７は、冷凍冷蔵倉庫２の前面開口内側において前端が下方に向かって開口している。この前端開口（吹出口）には、冷気吐出口を構成するハニカム４７２が取り付けてあり、ハニカム４７２を通過した空気は整流され、下方に向かって流れることになる。
【００３１】
ミドルダクト４８は、分配された空気を冷凍冷蔵倉庫２の前面開口内側であって、インナーダクト４７が生成するエアカーテンよりも外側に低温（例えば摂氏−２５℃）のエアカーテンを生成するためのものであり、インナーダクト４７の外側であって、冷凍冷蔵倉庫２の前面開口内側において前端が下方に向かって開口している。この前端開口（吹出口）には、冷気吐出口を構成するハニカム４８１が取り付けてあり、ハニカム４８１を通過した空気は整流され、下方に向かって流れることになる。
【００３２】
また、収納陳列域４の天井前縁には、下方に延在するアウターダクト４９が配設してある。アウターダクト４９は、冷凍冷蔵倉庫２の前面開口外側に室温のエアカーテンを生成するものであり、上方端と下方端とが開口している。この上方端開口の近傍には、アウターファン４９１が配設してある。このアウターファン４９１は、稼働させると配送センターの建屋１から空気を導入するものである。また、下方端開口（吹出口）には、空気吐出口を構成するハニカム４９２が取り付けてあり、ハニカム４９２を通過した空気は整流され、下方に向かって流れることになる。
【００３３】
最下段となる商品載置棚４２の前方にリターングリル（吸込口）５０が形成される態様で、フロントパネル５１が床に立設してある。リターングリル５０は、インナーダクト４７の前端開口及びミドルダクト４８の前端開口と対向するように形成され、インナーダクト４７の前端開口及びミドルダクト４８の前端開口から供給され、冷凍冷蔵倉庫２の前面開口にエアカーテンを生成した空気を回収するものである。
【００３４】
また、最下段となる商品載置棚４２の下方には、吸気ファン５２が傾斜する態様で取り付けてあり、リターングリル５０から回収された空気を収納陳列域４から収容搬送域６に送出する構成を採用している。
【００３５】
図２に示すように、収容搬送域６の床には、前方から後方に延在するダクト６１が配設してある。ダクト６１は、リターングリル５０から回収された空気を収容搬送域６に循環させるためのものであり、前端が最下段となる商品載置棚４２と収納陳列域４の床との間に形成された開口に対向し、開口している。また、後端は冷凍冷蔵倉庫２の奥壁近傍まで延在して開口している。また、ダクト６１の出口近傍となる内部には、循環ファン６２が配設してある。循環ファン６２は、最下段となる商品載置棚４２と収納陳列域４との間から送出された空気を吸い込み、奥壁に沿って循環させるようになっている。尚、本発明の実施の形態における冷凍冷蔵倉庫２では循環ファン６２が配設してあったが、本発明においては、かかる循環ファン６２は必須の構成要素ではなく、必ずしも配設する必要はない。
【００３６】
図２に示すように、収容搬送域６の天井には、複数台（本実施の形態では３台）のクーリングコイル６３が据え付けてある。クーリングコイル６３は、供給された空気を冷却して送出するものであり、上述した商品載置棚４２に均等に冷却した空気を送出するように、均等に配設してある。クーリングコイル６３は、空気が通過する際に摂氏−２５℃程度まで冷却するものである。またクーリングコイル６３の空気送出能力は、ダクト４５に配設した送風ファン４６の数倍の能力を有している。
【００３７】
図３に示すように、アウターダクト４９の下方端外側には、ナイトカバー７１と照明装置７２とが並設してある。ナイトカバー７１は、ロールスクリーンのように、巻き上げることにより収納可能なカバーであって、冷凍冷蔵ピッキングシステム稼働中に収納し、稼働を停止した場合に降ろすことにより、冷凍冷蔵倉庫２の前面開口を塞ぐことができるように構成してある。照明装置７２は、例えば蛍光灯であって、冷凍冷蔵ピッキングシステム稼働中は点灯し、稼働を停止した場合に消灯するものである。
【００３８】
これらナイトカバー７１と照明装置７２とは、傘体７３によって覆われている。傘体７３の前面には、照明装置７２を点灯あるいは消灯させるスイッチ（図示せず）が設けてある。このスイッチは、アウターファン４９１と連動しており、照明装置７２を点灯させた場合にアウターファン４９１が駆動され、照明装置７２を消灯させた場合にアウターファン４９１を停止させるようになっている。
【００３９】
収容搬送域６には、図２に示すように、冷凍冷蔵倉庫２に商品を搬入するための商品搬入コンベア６４、搬入した商品を一時保管する商品一時保管棚、商品一時保管棚から上述した陳列・ピッキング部４１に商品を投入する商品投入搬送装置６６が設置してある。
【００４０】
上述した構成を有する冷凍冷蔵倉庫２においては、上記構成の他に、図４及び図５に示すように、風防部材８１及び第１カーテン部材８２が配設してある。
【００４１】
風防部材８１は、例えば鋼板等からなる板状体であり、各商品載置棚４２の後方側に揺動可能となる態様で冷凍冷蔵倉庫２を形成する一対の側板１２間に架設してある。この風防部材８１は、左右に突出する軸部８１１が上記側板１２の係合孔（図示せず）に挿通することにより、該軸部８１１の軸心回りに（図４中の矢印方向に沿って）揺動可能、すなわち商品搬入口４２ｂに進退移動可能となるものである。このような風防部材８１は、図示しないバネ等の付勢手段により付勢されて、図４に示すように商品搬入口４２ｂに進出移動して起立姿勢に保持されている。
【００４２】
第１カーテン部材８２は、例えばビニールやポリエステルフィルム等のような柔軟な素材で製作されており、商品搬入口４２ｂの上部を構成する部材、すなわち商品載置棚４２やダクト４５に先端部８２１が自由端となる態様で基端部８２２が取り付けてある。この第１カーテン部材８２は、風防部材８１が起立姿勢にある場合に、先端部８２１が該風防部材８１に当接するのに十分な長さを有している。より詳細には、第１カーテン部材８２の長さ、すなわち基端部８２２から先端部８２１への長さは、商品搬入口４２ｂの上下方向の長さよりは短く、かつ起立姿勢にある風防部材８１とともに商品搬入口４２ｂを閉塞するのに十分な大きさを有している。第１カーテン部材８２の長さを商品搬入口４２ｂの上下方向の長さよりも短くしたことにより、第１カーテン部材８２の先端部がローラ部材４２１に巻き込まれる虞れがない。
【００４３】
このような第１カーテン部材８２には、例えば１００ｍｍ〜２００ｍｍ程度の幅毎に上下方向に延在するスリット（図示せず）を形成してあり、すだれ状の形態をなしている。
【００４４】
以上のような構成を有する冷凍冷蔵倉庫２において、クーリングコイル６３、送風ファン４６、吸気ファン５２、循環ファン６２、アウターファン４９１を稼働すると、クーリングコイル６３の周囲を通過した空気は、摂氏−２５℃程度まで冷却され、送風ファン４６に空気が均等に供給される。
【００４５】
送風ファン４６に供給された空気は、インナーダクト４７とミドルダクト４８とに分配される。インナーダクト４７に分配された空気は、蒸発器４７１の周囲を通過する際に摂氏−３０℃程度まで冷却され、前端開口からリターングリル５０に向けて流れることにより、冷凍冷蔵倉庫２の前面開口内側に摂氏−３０℃程度のエアカーテンを生成する。一方、ミドルダクト４８に分配された空気は、前端開口からリターングリル５０に向けて流れることにより、インナーダクト４７が生成するエアカーテンよりも外側に摂氏−２５℃程度のエアカーテンを生成する。
【００４６】
一方、アウターファン４９１を稼働することにより、配送センターの建屋１から導入された空気は、上述したエアカーテンに沿って流れ、エアカーテンを生成する空気の乱れを抑制する。
【００４７】
他方、リターングリル５０から回収された空気は、吸気ファン５２及び循環ファン６２によって、奥方に送出され、奥壁に沿って循環する。そして、奥壁に沿って循環した空気は、再び、クーリングコイル６３に供給される。このように循環され、クーリングコイル６３、蒸発器４７１によって冷却された空気は、冷凍冷蔵倉庫２の内部を冷却する。これにより、送風ファン４６、吸気ファン５２及び循環ファン６２は、吹出口から下方に向けて空気を吹き出し、吸込口を通じて吹出口から吹き出された空気を吸い込み、かつ該吸込口から吸い込んだ空気を収納陳列域４の下方域、収容搬送域６及び収納陳列域４の上方域を順次通過させて吹出口に送出することによって空気を循環させる空気循環手段を構成している。また、クーリングコイル６３や蒸発器４７１は、空気循環手段により循環させる空気を所望の温度に調整する温度調整手段を構成している。
【００４８】
そして、このような冷凍冷蔵倉庫２においては、商品搬入口４２ｂのそれぞれを風防部材８１及び第１カーテン部材８２が閉塞していることにより、商品搬出口４２ａ側から流入した空気が商品搬入口４２ｂを通過することを規制することができる。これによりショートサーキットが生ずることを抑制することが可能になる。
【００４９】
ところで、図５に示すように収容搬送域６から商品搬入口４２ｂに商品Ｗが搬入される場合には、該商品Ｗに押圧されて、風防部材８１が付勢手段の付勢力に抗して該商品搬入口４２ｂから退避移動して倒置姿勢となり、かつ第１カーテン部材８２が変形することにより、該商品Ｗの通過を許容する。これにより、風防部材８１及び第１カーテン部材８２は、常態においては商品搬入口４２ｂを閉塞して商品搬出口４２ａ側から流入する空気が商品搬入口４２ｂを通過することを規制する一方、収容搬送域６から商品搬入口４２ｂに商品が搬入される場合には、該商品に押圧されて自身が変形し、該商品の通過を許容する規制手段を構成している。
【００５０】
以上のような構成を有する冷凍冷蔵倉庫２によれば、風防部材８１及び第１カーテン部材８２が、常態においては商品搬入口４２ｂを閉塞して商品搬出口４２ａ側から流入する空気が前記商品搬入口４２ｂを通過することを規制する一方、収容搬送域６から商品搬入口４２ｂに商品Ｗが搬入される場合には、該商品Ｗに押圧されて自身が変形し、該商品Ｗの通過を許容するので、吹出口から吹き出された空気（冷気）が商品搬出口４２ａから進入して商品搬入口４２ｂを通過するいわゆるショートサーキットという現象が生ずる虞れがなく、これにより陳列・ピッキング部４１を構成する上段側の商品載置棚４２への冷気の流量が増加して下段側の商品載置棚４２への冷気の流量が減少してしまうことによる商品の冷却ムラが生ずることを抑制することができ、また、冷凍冷蔵倉庫２の前面開口に所望の冷気エアカーテンを形成することができ、外気の進入を規制して商品の冷却不良が生ずることを抑制することができる。従って、商品載置棚４２に載置した商品を所望の温度状態に良好に保持することができる。
【００５１】
以上、本発明の好適な実施の形態について説明したが、本発明はこれに限定されるものではなく、種々の変更を行うことができる。
【００５２】
図６及び図７は、それぞれ本発明の実施の形態である冷凍冷蔵倉庫の変形例を示すもので、図６は陳列・ピッキング部の構成を示す断面側面図であり、図７は、図６に示した陳列・ピッキング部の要部を示す断面側面図である。尚、上述した実施の形態である冷凍冷蔵倉庫と同一の構成を有するものには同一の符号を付してその説明を省略する。これら図６及び図７に示す冷凍冷蔵装置（冷凍冷蔵倉庫）では、上述した冷凍冷蔵倉庫２の構成要素の他に、第２カーテン部材（他のカーテン部材）８３を備えている。
【００５３】
第２カーテン部材８３は、第１カーテン部材８２と同様に、例えばビニールやポリエステルフィルム等のような柔軟な素材で製作されている。この第２カーテン部材８３は、図６に示すように商品載置棚４２の上方域を前後に区画する中間位置において、先端部８３１が自由端となる態様で基端部８３２が上方の商品載置棚４２やダクト４５に取り付けてある。この第２カーテン部材８３の基端部８３２から先端部８３１への長さは、該商品載置棚４２までの長さよりも僅かに短いもので、先端部８３１が該商品載置棚４２に接しない程度に調整してある。このような第２カーテン部材８３には、例えば１００ｍｍ〜２００ｍｍ程度の幅毎に上下方向に延在するスリット（図示せず）を形成してあり、すだれ状の形態をなしている。
【００５４】
上記商品搬入口４２ｂから搬入された商品Ｗは、商品載置棚４２の上面を転動又は滑走する。そして、図７に示すように、該商品Ｗに押圧されて、第２カーテン部材８３が変形することにより、該商品の通過を許容する。通過した商品Ｗは、前方から後方に向けて商品載置棚４２の上面に順次収納される。その後、オペレータにより必要な商品Ｗが商品搬出口４２ａから搬出されることになる。
【００５５】
このような構成によれば、第２カーテン部材８３が、商品載置棚４２の上方域を前後に区画する中間位置において、常態においては、商品搬出口４２ａ側から流入する空気が通過することを規制する一方、収容搬送域６から商品搬入口４２ｂに商品Ｗが搬入される場合には、該商品Ｗに押圧されて自身が変形し、該商品Ｗの通過を許容するので、前面開口から進入する外気により第２カーテン部材８３よりも後方側に位置する商品が加熱されることを有効に防止することができ、これにより第２カーテン部材８３よりも後方側にある商品が外気により冷却されることを良好に回避することが可能になる。しかも第２カーテン部材８３よりも前方側にある商品をエアカーテンにより冷却すればよく、冷却促進が可能になるとともに、冷却能力を必要以上に大きくしないので、省エネルギー化を図ることができる。
【００５６】
ここで例示した第２カーテン部材８３は、商品載置棚４２の上方域を前後に区画する中間位置に配設されるものであったが、本発明においては、第２カーテン部材（他のカーテン部材）は、常態においては、冷凍冷蔵倉庫２の前面開口を閉塞する一方、商品搬出口（４２ａ）から商品を取り出す場合には、該商品、あるいは作業者の腕に押圧されて自身が変形し、該商品の通過を許容する態様で設けてあってもよい。これによれば、冷凍冷蔵倉庫２の収納陳列域４と収容搬送域６の双方の冷却をクーリングコイル６３のみにより行うことが可能であり、冷気エアカーテンを形成する必要がないばかりか、この冷気エアカーテンに付随する冷却装置（蒸発器４７１等）を省略可能になり、省エネルギー化と低コスト化とを図ることができる。
【００５７】
また、上述した実施の形態における風防部材８１は、一の板状体により構成されるものであったが、図８に示すように、本発明の規制手段を構成する風防部材８１′は、２つの板状体を軸部材８１２で連結してなる構成を有するものであってもよい。このような構成においては、一の板状体の左右に突設された軸部８１１が一対の側板１２に形成された係合孔（図示せず）に挿通するとともに、軸部材８１２の両端が該側板１２に形成された長孔（図示せず）に挿通することにより、該側板１２間に架設されることになる。そして、このような風防部材８１′は、図示せぬ付勢手段により付勢されて商品搬入口４２ｂに進出移動して図示のような起立姿勢となる。その一方、商品搬入口４２ｂに商品Ｗが搬入された場合には、図９に示すように商品搬入口４２ｂから退避移動して倒置姿勢となり、該商品Ｗの通過を許容することになる。このような構成によっても上述した実施の形態と同様の作用効果を奏することができる。特にこのような構成によれば、風防部材８１′に対して垂直方向の負荷が作用した場合にも良好に退避移動して倒置姿勢になることが可能である。
【００５８】
また、上述した実施の形態における風防部材８１は、鋼板等から構成されるものであったが、図１０に示すように例えばゴムや樹脂等からなる弾性体により形成される風防部材８１”であってもよい。このような構成によれば、図１１に示すように、商品搬入口４２ｂに商品Ｗが搬入された場合に、自身の弾性力により商品搬入口４２ｂから退避移動して該商品Ｗの通過を許容することができ、該商品Ｗの通過後には、自身の弾性力により復元して商品搬入口４２ｂの閉塞に供することが可能である。
【符号の説明】
【００５９】
２    冷凍冷蔵倉庫
３    センターコンベア
４    収納陳列域
６    収容搬送域
４１    陳列・ピッキング部
４２    商品載置棚
４２ａ  商品搬出口
４２ｂ  商品搬入口
４５    ダクト
４６    循環ファン
４７    インナーダクト
４７１  蒸発器
４８    ミドルダクト
４９    アウターダクト
４９１  アウターファン
５０    リターングリル
５２    吸気ファン
６３    クーリングコイル
８１    風防部材
８１１  軸部
８２    第１カーテン部材
８２１  先端部
８２２  基端部
８３    第２カーテン部材
８３１  先端部
８３２  基端部
【図１】
2010210110.tif 000003
【図２】
2010210110.tif 000004
【図３】
2010210110.tif 000005
【図４】
2010210110.tif 000006
【図５】
2010210110.tif 000007
【図６】
2010210110.tif 000008
【図７】
2010210110.tif 000009
【図８】
2010210110.tif 000010
【図９】
2010210110.tif 000011
【図１０】
2010210110.tif 000012
【図１１】
2010210110.tif 000013